(57)【要約】【課題】  ペーパ束の確実な支持及びペーパの容易な取出しを確保しつつ、ペーパの無駄な使用を抑えることができるペーパホルダーを提供すること。【解決手段】  複数のペーパ３０、３０を交互に噛み合うように積層してなるペーパ束３１を収容する箱状の収容部１からなり、収容部１の下部にはそれぞれ内側に向かって下方傾斜した前案内板１１と後案内板１２とを所定間隔離隔させて配置して、底面部４にペーパ３０の取出し口１０を形成したペーパホルダーにおいて、後案内板１２は下端を収容部１の底面部４略中央に配置し、前案内板１１は下端を収容部１の底面部４前端近傍に配置して取出し口１０を収容部１の底面部４前側に形成し、収容部１の両内側面には取出し口１０の前後方向中央上方に支持突部１３が形成されてペーパ束３１の前部を支持すると共に、前案内板１１は取出し口１０の前側に引き出されたペーパ３０の中央部を前面に露出させる開通部１４を有してなる。【選択図】  図４
2006204404.tif 000002
【特許請求の範囲】
【請求項１】
複数のペーパを交互に噛み合うように積層してなるペーパ束を収容する箱状の収容部からなり、該収容部の下部にはそれぞれ内側に向かって下方傾斜した前案内板と後案内板とを所定間隔離隔させて配置して、底面部に上記ペーパの取出し口を形成したペーパホルダーにおいて、
上記後案内板は下端を上記収容部の底面部略中央に配置し、上記前案内板は下端を上記収容部の底面部前端近傍に配置して上記取出し口を上記収容部の底面部前側に形成し、上記収容部の両内側面には上記取出し口の前後方向中央上方に支持突部が形成されて上記ペーパ束の前部を支持すると共に、上記前案内板は上記取出し口の前側に引き出されたペーパの中央部を前面に露出させる開通部を有してなることを特徴とするペーパホルダー。
【請求項２】
上記前案内板は斜辺を上記後案内板の斜辺より短く形成され、上記前案内板の下端から引き出されたペーパと上記後案内板の下端から引き出されたペーパとが互いに異なる長さを有するように上記取出し口を上記収容部の底面部前側に形成したことを特徴とする請求項１記載のペーパホルダー。
【請求項３】
上記前案内板は上記収容部の両内側面からそれぞれ突出した片持ち状の板片からなり、該各板片は互いに所定間隔離隔して配置されてその中間部に上記開通部が形成されたことを特徴とする請求項１又は２記載のペーパホルダー。
【請求項４】
上記開通部は上記前案内板の中央略下半部が切欠状に形成されてなることを特徴とする請求項１又は２項に記載のペーパホルダー。
【請求項５】
上記収容部の前面は下辺中央部が上側に湾曲してなることを特徴とする請求項１〜４のいずれか１項に記載のペーパホルダー。
【請求項６】
上記後案内板は上面にリブ状の案内突部が複数形成されてなることを特徴とする請求項１〜５のいずれか１項に記載のペーパホルダー。
【発明の詳細な説明】
【技術分野】
【０００１】
本発明は、多数枚のペーパを収容するペーパホルダーに関し、特にペーパの無駄な使用を抑えることができるペーパホルダーに関する。
【背景技術】
【０００２】
従来からトイレ内等に設置されるペーパホルダーとしては、多数枚のペーパを一枚ずつ折り畳みかつ交互に噛み合うように積層したペーパ束を収容したものが知られている。そして、このようなペーパホルダーは、使用に際して最下部のペーパを順次収容部の底部の取出し口から一枚ずつ引き出すことができるもので、その取出しに伴って後続のペーパの端が自動的に一定量だけ取出し口からはみ出すように構成されている。
【０００３】
収容部の底部においては、取出し口を前後に対称な一対の案内板によって形成し、両案内板でペーパを支持すると共に、その隙間からペーパが取り出される。すなわち、取出し口を構成する両案内板の下端からは交互に略同じ長さのペーパがはみ出すことになり、連続的な取出しが容易となる。このようなペーパホルダーとしては、例えば特許文献１に挙げるようなものがある。
【特許文献１】特開平８−２４３０５５号公報
【発明の開示】
【発明が解決しようとする課題】
【０００４】
上述のように、従来のペーパホルダーは、収容されたペーパを連続的に一枚ずつ取出すことが容易である。連続的な取出しが容易となることは、使用者の利便性を向上させることになるため非常に有用であるが、一方でペーパの無駄な使用を誘引し、ペーパの経済性を低下させる。また、ペーパの無駄な使用はごみの大量排出の要因ともなるため、かかる経済性の問題について対策が必要である。
【０００５】
本発明は上記課題を鑑みてなされたものであり、ペーパ束の確実な支持及びペーパの容易な取出しを確保しつつ、ペーパの無駄な使用を抑えることができるペーパホルダーを提供することを目的とする。
【課題を解決するための手段】
【０００６】
上記課題を解決するため、本発明に係るペーパホルダーは、複数のペーパを交互に噛み合うように積層してなるペーパ束を収容する箱状の収容部からなり、該収容部の下部にはそれぞれ内側に向かって下方傾斜した前案内板と後案内板とを所定間隔離隔させて配置して、底面部に上記ペーパの取出し口を形成したペーパホルダーにおいて、
上記後案内板は下端を上記収容部の底面部略中央に配置し、上記前案内板は下端を上記収容部の底面部前端近傍に配置して上記取出し口を上記収容部の底面部前側に形成し、上記収容部の両内側面には上記取出し口の前後方向中央上方に支持突部が形成されて上記ペーパ束の前部を支持すると共に、上記前案内板は上記取出し口の前側に引き出されたペーパの中央部を前面に露出させる開通部を有してなることを特徴として構成されている。
【０００７】
また、本発明に係るペーパホルダーは、上記前案内板は斜辺を上記後案内板の斜辺より短く形成され、上記前案内板の下端から引き出されたペーパと上記後案内板の下端から引き出されたペーパとが互いに異なる長さを有するように上記取出し口を上記収容部の底面部前側に形成したことを特徴として構成されている。
【０００８】
さらに、本発明に係るペーパホルダーは、上記前案内板は上記収容部の両内側面からそれぞれ突出した片持ち状の板片からなり、該各板片は互いに所定間隔離隔して配置されてその中間部に上記開通部が形成されたことを特徴として構成されている。
【０００９】
さらにまた、本発明に係るペーパホルダーは、上記開通部は上記前案内板の中央略下半部が切欠状に形成されてなることを特徴として構成されている。
【００１０】
そして、本発明に係るペーパホルダーは、上記収容部の前面は下辺中央部が上側に湾曲してなることを特徴として構成されている。
【００１１】
また、本発明に係るペーパホルダーは、上記後案内板は上面にリブ状の案内突部が複数形成されてなることを特徴として構成されている。
【発明の効果】
【００１２】
本発明に係るペーパホルダーによれば、後案内板は下端を収容部の底面部略中央に配置し、前案内板は下端を収容部の底面部前端近傍に配置して取出し口を収容部の底面部前側に形成することにより、前案内板の下端からの端片と後案内板の下端からの端片の長さが互いに異なるため、使用者にペーパの連続した取出しを躊躇させ、一回につき一枚の使用を意識付けさせることができるので、ペーパの無駄な使用を抑えることができる。また、収容部の両内側面には取出し口の前後方向中央上方に支持突部が形成されてペーパ束の前部を支持すると共に、前案内板は取出し口の前側に引き出されたペーパの中央部を前面に露出させる開通部を有してなることにより、支持突部によってペーパ束が前案内板の下端からずれ落ちることが防止され、前案内板の開通部によって端片の長さが短い後案内板からのペーパを容易に取出すことができるので、ペーパ束の確実な支持及びペーパの容易な取出しを確保しつつ、ペーパの経済性を向上させることができる。
【００１３】
また、本発明に係るペーパホルダーによれば、前案内板は斜辺を後案内板の斜辺より短く形成され、前案内板の下端から引き出されたペーパと後案内板の下端から引き出されたペーパとが互いに異なる長さを有するように取出し口を収容部の底面部前側に形成したことにより、前案内板と後案内板とでペーパ束を支持することができると共に、容易に前案内板の下端からの端片と後案内板の下端からの端片とを互いに異なる長さとすることができる。
【００１４】
さらに、本発明に係るペーパホルダーによれば、前案内板は収容部の両内側面からそれぞれ突出した片持ち状の板片からなり、各板片は互いに所定間隔離隔して配置されてその中間部に開通部が形成されたことにより、開通部から手を挿入することで容易にペーパを取出すことができる。
【００１５】
さらにまた、本発明に係るペーパホルダーによれば、開通部は前案内板の中央略下半部が切欠状に形成されてなることにより、開通部から手を挿入することで容易にペーパを取出すことができると共に、前案内板を一体的に構成することができる。
【００１６】
さらに、本発明に係るペーパホルダーによれば、収容部の前面は下辺中央部が上側に湾曲してなることにより、開通部を介して収容部の前面から容易にペーパを取出すことができる。
【００１７】
さらにまた、本発明に係るペーパホルダーによれば、後案内板は上面にリブ状の案内突部が複数形成されてなることにより、後案内板とペーパとの接触面積が小さくなって、取出しの際のペーパとの摩擦抵抗が低減するので、ペーパを強く引っ張る必要がなく、ペーパの取出しがさらに容易となる。
【発明を実施するための最良の形態】
【００１８】
本発明の実施形態について図面に添って詳細に説明する。図１は本実施形態におけるペーパホルダーの斜視図、図２はペーパホルダーの正面図である。これら各図に示すように、本実施形態におけるペーパホルダーは箱状の収容部１から構成されて、多数枚のペーパ３０、３０からなるペーパ束３１を内部に収容すると共にペーパ３０を一枚ずつ取出すことができるものである。収容部１はプラスチック材料等から形成され、ペーパ束３１の積層状態を保持すると共に背部を壁面等に固定される収容部本体２と、収容部本体２の前側に開閉自在に取付けられる前面カバー３とから構成される。
【００１９】
図３は収容部１の前面カバー３を開いた状態を示した斜視図である。この図に示すように、収容部本体２は底面部４にペーパ３０の取出し口１０を有しており、ペーパ３０を一枚ずつ取出すことができる。取出し口１０の詳細については後述する。
【００２０】
また、収容部本体２は、図３に示すように上面５前端に前面カバー３と係脱自在な係合爪２０を有すると共に、両側面６、６の下端前部に支持孔１６、１６をそれぞれ有する。また、収容部本体２を透明材等から形成すると、内部に収容されているペーパ３０の残量が外部から確認できるので便利である。
【００２１】
収容部１の前面を構成する前面カバー３は、図３に示すように上端に収容部本体２の上面５前端に有する係合爪２０に係脱自在な被係合部２１を有すると共に、下端両側部に差込突部２２、２２を有している。すなわち、収容部本体２の支持孔１６によって、前面カバー３の下端に設けられた差込突部２２が回転自在に支持され、前面カバー３が手前側に開閉自在とされる。このため、前面カバー３を収容部１の前側に開けて、収容部本体２内部にペーパ束３１を収納し、再び前面カバー３を閉じることによって、収容部１内へのペーパ束３１の補充等することができるので作業が容易となる。また、前面カバー３は、図２に示すように下辺中央部が上側に湾曲して形成される。
【００２２】
次に本実施形態におけるペーパホルダーの内部構成について説明する。図４は本実施形態におけるペーパホルダーの下部の内部構成を示した縦断面図、図５はペーパホルダーの下部の内部構成を示した横断面図である。図４に示すように、本実施形態においては多数枚のペーパ３０、３０を一枚ずつ折り畳みかつ交互に噛み合うように積層したペーパ束３１が使用され、収容部１内に収容される。そして、最下部のペーパが取出し口１０から順次一枚ずつ引出され、その引出しに伴って後続のペーパ３０の端片が一定量はみ出すような構成とする。
【００２３】
収容部本体２は下部に前面カバー３側から内側に向かって下方傾斜した前案内板１１と、後面７側から内側に向かって下方傾斜した後案内板１２とを有しており、それぞれの上部でペーパ束３１を支持する。両案内板１１、１２の上部は、ペーパ束３１をバランスよく支持するため、略同じ高さに配置される。
【００２４】
前案内板１１と後案内板１２は適宜の間隔をおいて配置され、底面部４にペーパ３０の取出し口１０を形成する。すなわち、前案内板１１と後案内板１２の間隔部分がペーパ３０の取出し口１０となる。
【００２５】
前案内板１１及び後案内板１２をそれぞれ取出し口１０に向かって下方傾斜させることで、取出し口１０の前縁１０ａ又は後縁１０ｂにおけるペーパ３０との摩擦抵抗を低減することができる。すなわち、ペーパ３０が前案内板１１又は後案内板１２を滑り降りるように取出し口１０から引出されるので、使用者はペーパを軽い力で容易に取出すことができる。また、取出しの際にペーパが破れてしまうことも防止される。
【００２６】
収容部本体２の底面部４に形成される取出し口１０は、図４及び図５に示すように、ペーパ３０の長手方向に伸びる略長方形状に形成され、ペーパ３０の端片が取出し口１０の前縁１０ａ又は後縁１０ｂから突出する。取出し口１０の後縁１０ｂを構成する後案内板１２の下端は底面部４の略中央に配置され、前縁１０ａを構成する前案内板１１の下端は底面部４の前端近傍に配置される。すなわち、前案内板１１の斜辺が後案内板１２の斜辺より短く形成され、ペーパ３０の取出し口１０は収容部本体２の底面部４中央よりも前側に配置されることになる。
【００２７】
上述のように、本実施形態に使用されるペーパ束３１は多数枚のペーパ３０、３０を交互に噛み合うように積層してあるので、ペーパ３０の取出しに伴って取出し口１０からはみ出す後続のペーパ３０は、図４に示すように、取出し口１０の前縁１０ａ側から突出する場合と、後縁１０ｂ側から突出する場合とがある。
【００２８】
本実施形態においては、取出し口１０を収容部本体２の底面部４中央より前側に配置したので、図４に示すように、ペーパ３０を取出したときに突出する後続のペーパ３０の端片の長さがそれぞれ異なる。すなわち、斜辺の長さが短い前案内板１１側から突出するペーパ３０ａの方が、斜辺の長さが長い後案内板１２側から突出するペーパ３１ｂよりも長くなる。このため、取出し口１０から突出するペーパ３０の端部の位置が交互に変化することになり、ペーパ３０の連続した取出しを躊躇させ、使用者に一回につき一枚の使用を意識付けさせ、ペーパ３０の無駄な使用を抑えることができる。
【００２９】
前案内板１１は、下端で取出し口１０の前縁１０ａを構成すると共に上部でペーパ束３１を支持する。前案内板１１は、図３又は図５に示すように収容部本体２の両内側面６、６からそれぞれ内側に突出して片持ち状に形成された板片１１ａ、１１ａから構成され、その中間部に開通部１４が形成される。開通部１４は、手が挿入できる程度の幅を有している。
【００３０】
開通部１４の前側に配置されている前面カバー３は、下辺中央部が上側に略半円状に湾曲して形成されている。このため、収容部１は前面が開口するように形成され、取出し口１０の後縁１０ｂから前側にはみ出したペーパ３０ｂの中央部が開通部１４から外部に露出することになる。
【００３１】
上述の通り、ペーパ３０の取出し口１０は底面部４の前側に配置したことによって、後縁１０ｂ側から突出するペーパ３０ｂの端片は短くなり、当該ペーパ３０ｂが取出しづらくなってしまう。しかし、前案内板１１の中央部に開通部１４を設けたことにより、開通部１４から手を挿入して当該ペーパ３０ｂの中央部先端を摘むことで、容易に取出すことができる。
【００３２】
ここで、前案内板１１及び開通部１４の構成については、本実施形態に限られず、例えば前案内板１１を一枚板状とし、その中央略下半部に開通部１４を切欠状に形成することとしてもよい。これにより、収容部１前面に対するペーパ３０の露出部分は少なくなるが、前案内板１１を一体形成することができるので製造が容易となる。
【００３３】
また、前案内板１１は、図２又は図４に示すように、下端が後案内板１２の下端よりも上方に配置されている。これにより、取出し口１０から突出するペーパ３０の前縁部を収容部１の前面に露出させることができるので、端片の長さが短い後案内板１２側からのペーパ３０ｂをさらに容易に取出すことができる。
【００３４】
一方、前縁１０ａ側からのペーパ３０ａの端片は、取出し口１０が底面部４の前側に配置されているため、従来のように取出し口１０を底面部４の略中央に配置した場合に比べ、手前側に突出する。このため、前縁１０ａ側からのペーパ３０ａについては、取出しがさらに容易となる。
【００３５】
後案内板１２は下端で取出し口１０の後縁１０ｂを構成すると共に、前案内板１１よりも傾斜角度が緩やかに形成され、上部でペーパ束３１を支持する。そして、図５に示すように、上面にはその傾斜に沿ってリブ状の案内突部１５が複数形成される。案内突部１５は上面が角状又は半円状に形成され、ペーパ束３１を取出し口１０に案内する。このため、ペーパ３０と後案内板１２との接触面積が小さくなり、取出し時に生じる摩擦抵抗を低減すると共に、ペーパ３０を取出し口１０側に滑りやすいように案内するため、ペーパ３０が大量に収容されている場合でも、軽い力で容易にペーパ３０を取出すことができる。
【００３６】
また、図５に示すように、収容部本体２の両側面６、６には、その内面から内側に突出した支持突部１３が取出し口１０の前後方向の中央上方に形成される。支持突部１３は図４又は図５に示すように、１／４球状とし、その上部でペーパ束３１の前部を支持する。ペーパ束３１の支持面を曲面とすることで、取出しの際にペーパが破れることが防止される。
【００３７】
本実施形態においては、ペーパ３０の取出し口１０を底面部４の前側に配置したので、図４に示すように、前案内板１１は急傾斜に配置され、収容されているペーパ束３１が前案内板１１からずれ落ちるおそれがある。しかし、支持突部１３によってペーパ束３１の前部が支持されるので、前案内板１１からずれ落ちることを防止することができる。
【００３８】
また、支持突部１３によってペーパ束３１が支持されることから、前案内板１１及び後案内板１２にかかるペーパ束３１の重みを軽減することができる。このため、前案内板１１又は後案内板１２と、ペーパ３０との摩擦を低減することができ、強い力で引っ張る必要がなく、ペーパ３０を取出し口１０側に滑りやすいように案内することができる。
【００３９】
さらに、支持突部１３は、最下部のペーパ３０を取出したときに上下に折り畳まれた後続のペーパ３０の上部を支持するので、当該後続のペーパ３０が一緒に取出されることが防止される。このため、ペーパ３０を最後の一枚まで円滑に取出すことができる。ここで、支持突部１３の数については本実施形態に限られず、両内側面６、６にそれぞれ複数設けることとしてもよい。
【００４０】
すなわち、本実施形態においては、ペーパ束３１の確実な支持及び各ペーパ３０の容易な取出し等を確保することができると共に、ペーパ３０の経済性を向上させることができる。
【００４１】
また、収容部１は前側が開口するように形成されているため、万が一、最下部のペーパ３０を取出したときに後続のペーパ３０が取出し口から突出しなかった場合に、前案内板１１の開通部１４からペーパ３０を摘んで下方に引き出すことができる。
【００４２】
以上、本発明の実施形態について説明したが、本発明の適用はこれら実施形態には限られず、その技術的思想の範囲内において様々に適用されうるものである。例えば、収容部１の高さについては、本実施形態に限られず、ペーパ３０の収納量と収容部１の配置スペースとの関係により変更可能である。
【図面の簡単な説明】
【００４３】
【図１】本実施形態におけるペーパホルダーの斜視図である。
【図２】ペーパホルダーの正面図である。
【図３】本実施形態における収容部の前面カバーを開いた状態を示した斜視図である。
【図４】ペーパホルダーの下部の内部構成を示す縦断面図である。
【図５】ペーパホルダーの下部の内部構成を示す横断面図である。
【符号の説明】
【００４４】
１    収容部
２    収容部本体
３    前面カバー
４    底面部
１０    取出し口
１０ａ  前縁
１０ｂ  後縁
１１    前案内板
１１ａ  板片
１２    後案内板
１３    支持突部
１４    開通部
１５    案内突部
１６    支持孔
２０    係合爪
２１    被係合部
２２    差込突部
３０    ペーパ
３１    ペーパ束
【図１】
2006204404.tif 000003
【図２】
2006204404.tif 000004
【図３】
2006204404.tif 000005
【図４】
2006204404.tif 000006
【図５】
2006204404.tif 000007